【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
反射率測定値から光センサアーチファクトを除去するシステムであって、
試験パターン内の第１の単色を有する複数の画素を画像支持体上へ射出する印刷ヘッドと、
前記画像支持体上の前記試験パターンを光で照光する光源と、
前記試験パターンの前記第１の単色の補色でない色を有する光に対する前記試験パターンの第１の部分の反射率測定値を生成し、前記試験パターンの前記第１の単色の補色である光に対する前記試験パターンの前記第１の部分の反射率測定値を生成し、かつ、前記試験パターンの前記第１の部分に重複する領域を含む、前記第１の単色の補色である色を有する光に対する前記試験パターンの第２の部分の反射率測定値を生成するよう構成された光センサと、
前記光センサに動作可能に接続されたセンサ制御装置であって、前記試験パターンの第１の単色の補色でない色を有する光に対して生成された前記第１の部分の前記反射率測定値を変倍して、前記重複領域内の、前記試験パターンの第１の単色の補色である色を有する光に対して生成された前記第１の部分の前記反射率測定値と、前記試験パターンの第１の単色の補色である色を有する光に対して生成された前記第２の部分の前記反射率測定値との差を最小化するように構成されたセンサ制御装置とを備えることを特徴とするシステム。
【請求項２】
請求項１に記載のシステムであって、前記光源が、前記試験パターンを白色光で照光するように動作され、また前記光センサが、
線形配列の形で配置された複数の感光素子をさらに備え、前記試験パターンの第１の単色の補色でない色を有する光に対して生成される前記試験パターンの前記第１の部分の前記反射率測定値が、前記試験パターンの第１の単色の補色でない色を有する光のフィルタ付き感光素子で生成され、前記試験パターンの第１の単色の補色である色を有する光に対して生成される前記第１の部分および前記第２の部分の前記反射率測定値が、前記試験パターンの第１の単色の補色である色を有する光のフィルタ付き感光素子で生成されることを特徴とするシステム。
【請求項３】
回転画像部材と、
前記回転画像部材上へインクを射出する印刷ヘッドと、
前記回転画像部材上へインクを射出するために、インクジェット駆動信号を前記印刷ヘッドへ送出する印刷ヘッド制御装置と、
前記回転画像部材の一部分を照光するために、前記回転画像部材の近傍の位置に取り付けられた光源と、
前記光源からの、前記回転画像部材によって反射された光を受け取るために、前記回転画像部材全体にわたって光センサを平行移動させるための可動部材上に取り付けられた光センサと、
前記光センサおよび前記光源に動作可能に接続されたセンサ制御装置であって、前記回転画像部材を選択的に照光するために前記光源を起動させ、前記回転画像部材の近傍の異なる位置へ前記光センサを平行移動させ、かつ前記光センサから反射率測定値を受け取るように構成されたセンサ制御装置と、
前記センサ制御装置および前記印刷ヘッド制御装置に結合された印刷エンジンであって、インクジェット駆動信号を前記印刷ヘッドへ送出して、第１の単色の画素を有する試験パターンを前記回転画像部材上へ射出させるように前記印刷ヘッド制御装置を制御し、かつ前記光源を起動して、前記第１の単色の補色でない色を有する第１の光、および前記第１の単色の補色である色を有する第２の光で、前記回転画像部材を照光させるようにセンサ制御装置を制御するように構成された印刷エンジンとを備えることを特徴とするプリンタ。
【請求項４】
請求項３に記載のプリンタであって、前記センサ制御装置が、前記光センサを、第１の位置に移動させて、前記回転画像部材上の前記試験パターンの第１の部分の反射率測定値を生成し、かつ前記試験パターンの前記第１の部分に部分的に重複する第２の位置に移動させて、前記試験パターンの第２の部分の反射率測定値を生成するように構成されることを特徴とするプリンタ。
【手続補正２】
【補正対象書類名】明細書
【補正対象項目名】０００９
【補正方法】変更
【補正の内容】
【０００９】
画像支持体上に印刷された試験パターンからの反射率測定値を得るために使用されるプリンタ内の光センサから光センサアーチファクトを除去するシステムが開発された。このシステムは、試験パターン内の第１の単色を有する複数の画素を画像支持体上へ射出する印刷ヘッドと、画像支持体上の試験パターンを光で照光する光源と、試験パターンの第１の単色の補色でない色を有する光に対する試験パターンの第１の部分の反射率測定値を生成し、試験パターンの第１の単色の補色である光に対する試験パターンの第１の部分の反射率測定値を生成し、かつ、試験パターンの第１の部分に重複する領域を含む、第１の単色の補色である色を有する光に対する試験パターンの第２の部分の反射率測定値を生成するよう構成された光センサと、光センサに動作可能に接続されたセンサ制御装置であって、試験パターンの第１の単色の補色でない色を有する光に対して生成された第１の部分の反射率測定値を変倍して、重複領域内の、試験パターンの第１の単色の補色である色を有する光に対して生成された第１の部分の反射率測定値と、試験パターンの第１の単色の補色である色を有する光に対して生成された第２の部分の反射率測定値との差を最小化するように構成されたセンサ制御装置とを含む。
【手続補正３】
【補正対象書類名】明細書
【補正対象項目名】００１０
【補正方法】変更
【補正の内容】
【００１０】
前述のシステムで実施できる方法では、前記光源が、前記試験パターンを白色光で照光するように動作され、また前記光センサが、線形配列の形で配置された複数の感光素子をさらに備え、前記試験パターンの第１の単色の補色でない色を有する光に対して生成される前記試験パターンの前記第１の部分の前記反射率測定値が、前記試験パターンの第１の単色の補色でない色を有する光のフィルタ付き感光素子で生成され、前記試験パターンの第１の単色の補色である色を有する光に対して生成される前記第１の部分および前記第２の部分の前記反射率測定値が、前記試験パターンの第１の単色の補色である色を有する光のフィルタ付き感光素子で生成されること、としても好適である。
【手続補正４】
【補正対象書類名】明細書
【補正対象項目名】００１１
【補正方法】変更
【補正の内容】
【００１１】
本発明のプリンタは、回転画像部材と、前記回転画像部材上へインクを射出する印刷ヘッドと、前記回転画像部材上へインクを射出するために、インクジェット駆動信号を前記印刷ヘッドへ送出する印刷ヘッド制御装置と、前記回転画像部材の一部分を照光するために、前記回転画像部材の近傍の位置に取り付けられた光源と、前記光源からの、前記回転画像部材によって反射された光を受け取るために、前記回転画像部材全体にわたって光センサを平行移動させるための可動部材上に取り付けられた光センサと、前記光センサおよび前記光源に動作可能に接続されたセンサ制御装置であって、前記回転画像部材を選択的に照光するために前記光源を起動させ、前記回転画像部材の近傍の異なる位置へ前記光センサを平行移動させ、かつ前記光センサから反射率測定値を受け取るように構成されたセンサ制御装置と、前記センサ制御装置および前記印刷ヘッド制御装置に結合された印刷エンジンであって、インクジェット駆動信号を前記印刷ヘッドへ送出して、第１の単色の画素を有する試験パターンを前記回転画像部材上へ射出させるように前記印刷ヘッド制御装置を制御し、かつ前記光源を起動して、前記第１の単色の補色でない色を有する第１の光、および前記第１の単色の補色である色を有する第２の光で、前記回転画像部材を照光させるようにセンサ制御装置を制御するように構成された印刷エンジンとを備えることを特徴とする。
【手続補正５】
【補正対象書類名】明細書
【補正対象項目名】００１２
【補正方法】変更
【補正の内容】
【００１２】
本発明のプリンタにおいて、前記センサ制御装置が、前記光センサを、第１の位置に移動させて、前記回転画像部材上の前記試験パターンの第１の部分の反射率測定値を生成し、かつ前記試験パターンの前記第１の部分に部分的に重複する第２の位置に移動させて、前記試験パターンの第２の部分の反射率測定値を生成するように構成されることとしても好適である。